(57)【特許請求の範囲】
【請求項１】
枠体と、
前記枠体に設けられ回動することにより開閉される障子と、
前記障子の開放角度を規制する規制機構と、
を備えた建具であって、
前記規制機構は、前記枠体と前記障子とのいずれか一方側にスライド自在に設けられたスライド部材と、
前記スライド部材に、一端が揺動自在に支持されたアーム本体、及び、前記アーム本体の他端に設けられたピン部材、を有するアームと、
前記枠体と前記障子との他方側に設けられ、前記障子が閉じられた状態にて前記一方側に向かって突出されており、前記一方側に位置する前記アームに設けられた前記ピン部材が内部に収容され、前記障子の回動に伴って前記アームが揺動しつつ前記ピン部材を案内するためのガイド溝を有するベース部材と、
を備え、
前記スライド部材をスライドすることにより、前記ピン部材が前記ガイド溝内に位置する前記開放角度の規制状態と、前記ピン部材が前記ガイド溝外に位置する前記開放角度の規制解除状態と、が切り替えられ、
前記障子が開放された状態にて前記規制解除状態から前記規制状態に前記スライド部材がスライドされて移動された前記ピン部材を、当該障子が閉止される際に、前記ベース部材より前記一方側へ案内する案内部を有することを特徴とする建具。
【請求項２】
請求項１に記載の建具であって、
前記案内部は、前記ベース部材の前記一方側に向かう面と繋がった傾斜面であることを特徴とする建具。
【請求項３】
請求項１または請求項２に記載の建具であって、
前記枠体と前記障子との間には、前記ベース部材より前記一方側に、前記ピン部材が設けられている前記アームを収容可能な空隙を有することを特徴とする建具。
【請求項４】
請求項１乃至請求項３のいずれかに記載の建具であって、
前記アームは前記スライド部材にピンにより支持されており、
前記ピンと前記アームとの間には、前記ピン部材が前記ベース部材より前記一方側に位置するように前記アームが傾斜することを許容する弾性部材が介在されていることを特徴とする建具。
【発明の詳細な説明】
【技術分野】
【０００１】
本発明は、枠体に設けられ回動することにより開閉される障子の開放角度を規制する規制機構を備えた建具に関する。
【背景技術】
【０００２】
枠体に設けられ回動することにより開閉される障子の開放角度を規制する規制機構を備えた建具としては、例えば、一端が障子に揺動自在に支持されたアームと、障子が設けられている窓枠に固定されたガイド枠とを備え、揺動するアームの先端側に設けられたスライドピンがガイド枠に設けられたガイド溝でスライド自在に係合されて規制機構が構成された建具が知られている（例えば、特許文献１参照）。ガイド溝は、窓枠に沿って上下方向に長く設けられており、ガイド枠には、障子を閉じた状態にてスライドピンが位置するガイド溝の下端側から、スライドピンが出入り可能となる出入口が設けられている。また、出入口を開閉自在にスライドするシャッターも設けられている。
【０００３】
そして、障子を閉じた状態にてシャッターを開いて障子を開くと、スライドピンがガイド溝の外に出るため障子の開放角度はアームによって規制されることはなく、スライドピンがガイド溝内にあるときに障子を開くとアームが揺動しつつスライドピンがガイド溝内を移動し、スライドピンがガイド溝内で移動不能となった位置にて障子の開放角度が規制されるように構成されている。
【特許文献１】特開２００１−９８８２７号公報
【発明の開示】
【発明が解決しようとする課題】
【０００４】
上記従来の建具は、シャッターが開いているときにのみスライドピンがガイド溝に出入りすることが可能となる。このため、例えば、スライドピンがガイド溝の外側に位置し、且つ、シャッターが閉められた状態にて、誤って障子が閉じられるとスライドピンがシャッターに激しく衝突する場合があり、シャッター、スライドピン、アームなどを損傷する畏れがあるという課題がある。
【０００５】
本発明は、かかる課題に鑑みてなされたものであり、その目的とするところは、障子の開閉角度が規制された状態又は規制が解除された状態のいずれの状態であっても障子を閉止した際に規制機構が損傷されない建具を提供することにある。
【課題を解決するための手段】
【０００６】
かかる目的を達成するために本発明の建具は、枠体と、前記枠体に設けられ回動することにより開閉される障子と、前記障子の開放角度を規制する規制機構と、を備えた建具であって、前記規制機構は、前記枠体と前記障子とのいずれか一方側にスライド自在に設けられたスライド部材と、前記スライド部材に、一端が揺動自在に支持されたアーム本体、及び、前記アーム本体の他端に設けられたピン部材、を有するアームと、前記枠体と前記障子との他方側に設けられ、前記障子が閉じられた状態にて前記一方側に向かって突出されており、前記一方側に位置する前記アームに設けられた前記ピン部材が内部に収容され、前記障子の回動に伴って前記アームが揺動しつつ前記ピン部材を案内するためのガイド溝を有するベース部材と、を備え、前記スライド部材をスライドすることにより、前記ピン部材が前記ガイド溝内に位置する前記開放角度の規制状態と、前記ピン部材が前記ガイド溝外に位置する前記開放角度の規制解除状態と、が切り替えられ、前記障子が開放された状態にて前記規制解除状態から前記規制状態に前記スライド部材がスライドされて移動された前記ピン部材を、当該障子が閉止される際に、前記ベース部材より前記一方側へ案内する案内部を有することを特徴とする建具である。
【０００７】
一方側に位置する前記アームに設けられたピン部材は、開放角度の規制状態では、他方側に設けられ一方側に向かって突出されたベース部材に形成されたガイド溝に収容される。このため、ガイド溝内に収容されたピン部材は、障子が回動して開いたとしてもベース部材に当たってガイド溝から外側に出ることはない。
【０００８】
ところが、ピン部材はガイド溝から外に位置する規制解除状態にて障子が開かれている場合に、スライド部材が規制解除状態から規制状態にスライドされた後、障子が閉められると、ピン部材とベース部材とが干渉することになる。
【０００９】
このとき、上記のような建具によれば、障子が閉止される際に、ピン部材をベース部材より一方側へ案内する案内部を有しているので、ピン部材とベース部材とが干渉する際に案内部によりピン部材が一方側へ案内されるため、ピン部材はベース部材に激しく衝突しない。このため、障子を閉止した際にベース部材と干渉する場合であっても、ピン部材、アーム、ベース部材等を損傷する畏れはない。また、規制解除状態では、ピン部材はベース部材とは干渉しない。このため、障子の開閉角度が規制された状態又は規制が解除された状態のいずれの状態であっても障子を閉止した際に規制機構が損傷されない建具を提供することが可能である。
【００１０】
かかる建具であって、前記案内部は、前記ベース部材の前記一方側に向かう面と繋がった傾斜面であることが望ましい。  
このような建具によれば、障子を閉めた際にベース部材と干渉する場合であっても、ピン部材がベース部材の一方側に向かう面と繋がった傾斜面に沿って移動されるので、簡単な構造にて確実に規制機構の損傷を抑えることが可能である。
【００１１】
かかる建具であって、前記枠体と前記障子との間には、前記ベース部材より前記一方側に前記ピン部材が設けられている前記アームを収容可能な空隙を有することが望ましい。  
このような建具によれば、ピン部材が案内部により案内されるベース部材より一方側には、ピン部材が設けられたアームを収容可能な空隙が設けられているので、アーム及びピン部材を空隙内に収容させて確実に損傷を抑えることが可能である。
【００１２】
かかる建具であって、前記アームは前記スライド部材にピンにより支持されており、前記ピンと前記アームとの間には、前記ピン部材が前記ベース部材より前記一方側に位置するように前記アームが傾斜することを許容する弾性部材が介在されていることが望ましい。  
このような建具によれば、アームをスライド部材に揺動自在に支持しているピンとアームとの間には弾性部材が介在されているので、弾性部材の弾性変形可能な範囲でアームはピンに対して傾斜することが可能である。このため、ピン部材がベース部材より一方側に案内された際に、アームが傾斜することが可能なので、アームの変形を防止することが可能である。
【発明の効果】
【００１３】
本発明によれば、障子の開閉角度が規制された状態又は規制が解除された状態のいずれの状態であっても障子を閉止した際に規制機構が損傷されない建具を提供することが可能である。
【発明を実施するための最良の形態】
【００１４】
以下、本発明の一実施形態に係る建具について図面を参照して説明する。  
以下の説明では、建物等に取り付けられた建具を屋外側から見たときに上下となる方向を上下方向、左右となる方向を左右方向または見付け方向、屋内外方向である奥行き方向を見込み方向として示す。
【００１５】
本実施形態の建具１０は、図１に示すように、建物等に取り付けられた状態にて上下に位置する横枠１２ａと、左右に位置する縦枠１２ｂ、１２ｃとが矩形状に接合された枠体１２と、枠体１２に設けられて回動することにより開閉される障子１４と、障子１４の開放角度を規制する規制機構２０とを備えている。この建具１０は、障子１４の見付け方向における一方の端部側（本実施形態では、左側）が上下の横枠１２ａに回動自在に支持されているとともに、上下の横枠１２ａに沿って移動可能に設けられ、障子１４が回動しつつ他方の端部側（本実施形態では右側）が屋外側に突き出していく縦辷り出し窓である。
【００１６】
障子１４は、面材としてのガラス１４ａを有しガラス１４ａの上下に位置する横框１４ｂと、左右に位置する縦框１４ｃ、１４ｄとが矩形状に接合されている。すなわち、上下の横框１４ｂが左側にて上下の横枠１２ａに支持されているので、左側の縦框１４ｃが吊元框であり右側の縦框１４ｄが戸先框である。
【００１７】
障子１４の戸先框１４ｄの屋内側には、見込み方向に沿う軸を中心として回動するハンドル１４ｅが設けられており、ハンドル１４ｅを回動することにより、縦辷り出し窓の施錠及び解錠状態を切り替える施錠機構が右側の縦枠１２ｃとの間に設けられている。また、障子１４の戸先框１４ｄと、右側の縦枠１２ｃとの間に、障子１４の開放角度を規制する規制機構２０が設けられている。
【００１８】
本実施形態の規制機構２０は、図１〜図５に示すように、右側の縦枠（以下、右縦枠という）１２ｃの内側面に基部材２２を介してスライド自在に設けられたスライド部材２４と、スライド部材２４に一端が揺動自在に支持されたアーム本体２８、及び、アーム本体２８の他端に設けられたピン部材３０、を有するアーム２６と、障子１４の戸先框１４ｄの外面側に設けられピン部材３０を案内するためのガイド溝５０ｅを有するベース部材５０と、を有している。
【００１９】
戸先框１４ｄと右縦枠１２ｃとの間に設けられた規制機構２０は、障子１４を閉止した状態において右縦枠１２ｃに設けられたスライド部材２４の戸先框１４ｄ側にて、上端側が支持されたアーム２６は、戸先框１４ｄ及び右縦枠１２ｃとほぼ平行に配置され、下端側に設けられたピン部材３０が戸先框１４ｄ側に設けられたベース部材５０に収容されるように配置されている。すなわち、戸先框１４ｄ及び右縦枠１２ｃとほぼ平行に配置されたアーム２６の上端側であって右縦枠１２ｃ側に基部材２２及びスライド部材２４が設けられ、アーム２６の下端側であって戸先框１４ｄ側にベース部材５０が設けられている。そして、ベース部材５０の右縦枠１２ｃ側であって、基部材２２及びスライド部材２４の下方側には、アーム２６のピン部材３０が設けられている部位が収容可能な空隙１６が設けられている。
【００２０】
右縦枠１２ｃに設けられた基部材２２は、金属製のほぼ長方形状をなす板材が、上下の端部が段曲げされて形成された固定部２２ａにて右縦枠１２ｃに固定され、中央部分に右縦枠１２ｃと間隔を隔ててほぼ平行な平面をなす被摺動部２２ｂを有している。被摺動部２２ｂにはスライド部材２４が対面するように配置されるとともにスライド自在に取り付けられる。
【００２１】
被摺動部２２ｂには、右縦枠１２ｃの長手方向すなわち上下方向に長く形成され、上下の端部側にそれぞれ設けられた２つの長孔２２ｃと、長孔２２ｃとほぼ平行をなす下長孔部２２ｄと円弧状をなす円弧孔部２２ｅとが繋がった屈曲孔２２ｆと、スライド部材２４のスライド方向に間隔を隔てて並べて配置された２つの係合孔２２ｇとが設けられている。また、被摺動部２２ｂの下端にはアーム２６がほぼ鉛直の姿勢から屋内側に揺動することを防止するストッパー２２ｈが設けられている。さらに、被摺動部２２ｂの上端側には、スライド部材２４がスライドしないようにロックするためのロックねじ２１が螺合されるねじ穴２２ｉが形成されている。
【００２２】
スライド部材２４は、基部材２２の被摺動部２２ｂと対面して摺動する摺動板部２４ａと、摺動板部２４ａから屋内側に繋がって当該摺動板部２４ａとほぼ直角をなすように設けられた操作腕部２４ｂと、操作腕部２４ｂの先端側に屋内側に突出するようにねじ止めされた操作把持部２４ｃとを有している。
【００２３】
摺動板部２４ａには、基部材２２の右縦枠１２ｃ側から長孔２２ｃに挿通されたスライドピン２４ｄが、摺動板部２４ａの上端側の右側の部位と下端側の左側の部位とにそれぞれ固定されている。このため、スライドピン２４ｄが長孔２２ｃ内を移動可能な範囲にて、スライド部材２４は上下方向にスライドすることが可能である。
【００２４】
スライド部材２４の上端側と下端側とに設けられたスライドピン２４ｄの間の領域には、基部材２２から離れる方向に僅かに隆起されたアーム支持部２４ｅが形成されている。アーム支持部２４ｅには、上部側にアーム２６の回動中心となる一方の端部としての基端部２６ａが回動自在に支持される回動軸孔２４ｆと、回動軸孔２４ｆと同心にて当該回動軸孔２４ｆの外側に配置された円弧状のアームガイド孔２４ｇが設けられている。アームガイド孔２４ｇは、上下にスライド可能なスライド部材２４が上側の位置に配置された状態で、基部材２２の円弧孔部２２ｅと重なるように構成されている。
【００２５】
摺動板部２４ａのアーム支持部２４ｅより上方であって上側のスライドピン２４ｄが設けられた部位の屋外側には、上方側が開放されて下方に湾曲させて切り欠かれた切欠部２４ｈが設けられ、切欠部２４ｈの屋内側の縁の上端には、屋内側に延出された延出部２４ｉが設けられている。この切欠部２４ｈは、スライド部材２４がスライドされて上側の位置に配置された状態で、中央に被摺動部２２ｂのねじ穴２２ｉが配置されるように構成されている。スライド部材２４が上側にスライドされた後にねじ穴２２ｉにロックねじ２１が締め込まれた状態で、スライド部材２４を下げようとしても、ロックねじ２１より上方に配置された延出部２４ｉがロックねじ２１の頭部に突き当たりスライド部材２４が下方にスライドされないように構成されている。そして、ロックねじ２１が緩められると、ロックねじ２１の頭部と被摺動部２２ｂとの間をスライド部材２４が通過可能な状態となる。
【００２６】
また、切欠部２４ｈの屋外側には被摺動部２２ｂ側に突出する突起２４ｊが設けられている。突起２４ｊは、スライド部材２４がスライドする際に、被摺動部２２ｂに設けられた係合孔２２ｇに係合する。スライド部材２４が上側の位置に配置された際には突起２４ｊが上側の係合孔２２ｇに係合し、スライド部材２４が下側の位置に配置された際には突起２４ｊが下側の係合孔２２ｇに係合して、スライド部材２４の位置が維持される。
【００２７】
アーム２６は、剛性を高めるために絞り加工された金属板でなるアーム本体２８と、アーム本体２８の揺動先端側にカシメられたピン部材３０と、アーム本体２８の基端部２６ａ側に回動中心に設けられる回動ピン２７と間隔を隔てて僅かに揺動端側にカシメられた規制ピン２９とを有している。ピン部材３０は、カシメられている端部とは反対側の先端部が拡径された拡径部３０ａを有している。規制ピン２９はアーム本体２８のスライド部材２４側に、ピン部材３０はアーム本体２８のスライド部材２４とは反対側にそれぞれ設けられている。
【００２８】
アーム２６は、アーム本体２８の基端部２６ａ側に設けられた孔２８ａを貫通する回動ピン２７がスライド部材２４の回動軸孔２４ｆに固定されている。回動ピン２７は、アーム本体２８の孔２８ａより僅かに細い軸部２７ａと軸部２７ａより拡径された頭部２７ｂとを有しており、軸部２７ａは、アーム本体２８の厚みより十分に長く形成されている。
【００２９】
アーム本体２８と回動ピン２７の頭部２７ｂとの間には弾性部材としての円錐コイルばね３１が介在されており、アーム２６はスライド部材２４側に当接されるように円錐コイルばね３１により付勢されている。このように、アーム本体２８と回動ピン２７の頭部２７ｂとの間に円錐コイルばね３１が介在されているため、たとえアーム２６の揺動先端側が回動ピン２７の軸部に沿う方向に移動しても、アーム２６は基端部２６ａ側にて円錐コイルばね３１を圧縮して傾くことが許容されるので、アーム２６の変形を抑えることが可能である。本実施形態では、弾性部材を円錐コイルばねとしたが、ばねの伸縮方向において内径が相違しないコイルばね、皿ばね、板ばねなどのばね及びゴムなどの弾性部材であっても良い。
【００３０】
アーム２６がスライド部材２４側に当接された状態では、規制ピン２９がスライド部材２４のアームガイド孔２４ｇと屈曲孔２２ｆとに貫通されている。そして、スライド部材２４がスライド可能な範囲の下端に位置するときには、規制ピン２９はアームガイド孔２４ｇの最も屋内側に位置するとともに、屈曲孔２２ｆの下長孔部２２ｄの下端側に位置している。このとき、アーム２６は下端が僅かに屋外側位置するが、長手方向がほぼ鉛直方向に向くような姿勢を維持している。このとき、スライド部材２４の突起２４ｊは、被摺動部２２ｂの下側の係合孔２２ｇと係合している。
【００３１】
そして、操作把持部２４ｃが上方へ操作されてスライド部材２４が上方へスライドされると、突起２４ｊが下側の係合孔２２ｇから抜け出て上側の係合孔２２ｇと係合し、スライド部材２４がスライド可能な範囲の上端に移動する。このとき、アーム２６はほぼ鉛直の姿勢を維持したままでスライド部材２４とともに上昇し、規制ピン２９はアームガイド孔２４ｇの最も屋内側に位置したままで屈曲孔２２ｆの下長孔部２２ｄの上端側すなわち円弧孔部２２ｅの屋内側の端部に移動する。スライド部材２４がスライド可能な範囲の上端に位置すると、アームガイド孔２４ｇと円弧孔部２２ｅとが重なり、規制ピン２９は、アームガイド孔２４ｇと円弧孔部２２ｅに沿って円弧状の軌道をとって移動可能となり、アーム２６が揺動可能となる。
【００３２】
障子１４の戸先框１４ｄの外面側に、右縦枠１２ｃ側に向かって突出させて設けられたベース部材５０は、金属製のほぼ長方形状をなす板材が、上下の端部が段曲げされて形成された固定部５０ａが戸先框１４ｄに固定され、上下の固定部５０ａ間の中央部分は戸先框１４ｄと間隔を隔て、右縦枠１２ｃの内周面側に向かう側板部５０ｂを有し、上下の固定部５０ａと側板部５０ｂとは連結部５０ｃにて繋がっている。側板部５０ｂは、図６に示すように、上方かつ屋内側に向かって戸先框１４ｄとの間隔が狭くなるような傾斜面５０ｄを有し、障子１４が開放される際にアーム２６が側板部５０ｂと接触しないように構成されている。
【００３３】
側板部５０ｂと下側の連結部５０ｃとには、側板部５０ｂから下側の連結部５０ｃに繋がって、上下方向に沿うガイド溝５０ｅが設けられている。側板部５０ｂの屋外側の縁と屋内側の縁の下端部を除く部位は、戸先框１４ｄ側に折り曲げられて剛性が高められている。また、側板部５０ｂの屋内側の縁の下端部には、ベース部材５０より右縦枠１２ｃ側へピン部材３０を案内するための案内部５０ｆが設けられている。案内部５０ｆは側板部５０ｂから繋がった傾斜面５０ｇを形成する部位であり、屋内側に向かって、側板部５０ｂから戸先框１４ｄに傾斜している。案内部５０ｆの位置は、スライド部材２４がスライド可能な範囲の上端に配置された際にピン部材３０が位置する高さとほぼ同じ位置に設けられている。
【００３４】
戸先框１４ｄに固定されたベース部材５０は、障子１４が閉じられた状態にて右縦枠１２ｃ側に向かって突出されており、右縦枠１２ｃ側に設けられたスライド部材２４が上側に位置するときに、ベース部材５０の右縦枠１２ｃ側に位置するアーム本体２８に設けられたピン部材３０の先端側がベース部材５０の内部に収容される。スライド部材２４が上側に位置してピン部材３０の先端がベース部材５０内に位置するときに、障子１４が外側に開かれると、障子１４の回動に伴ってアーム２６が揺動しつつガイド溝５０ｅに案内されてピン部材３０が上昇する。そして、ピン部材３０がガイド溝５０ｅの上端に当接するか、又は、規制ピン２９がアームガイド孔２４ｇ或いは円弧孔部２２ｅの屋外側の端部に当接してアーム２６が揺動できなくなった位置にて障子１４の開放角度が規制される。
【００３５】
また、障子１４が閉じられた状態にて右縦枠１２ｃ側に設けられたスライド部材２４が下側へスライドされると、右縦枠１２ｃ側に位置するアーム本体２８に設けられたピン部材３０は下側の連結部５０ｃのガイド溝５０ｅからベース部材５０の下方へ移動しガイド溝５０ｅの外に配置される。スライド部材２４が下側に位置する時に、障子１４が外側に開かれると、ピン部材３０はベース部材５０と接触することなく、アーム２６はほぼ鉛直方向に向く姿勢を維持して右縦枠１２ｃに支持されている。すなわち、障子１４は、規制機構２０にて規制されずに最も大きく開放される。
【００３６】
スライド部材２４をスライドしてスライド部材２４が移動可能な範囲の上端に位置して、ピン部材３０がガイド溝５０ｅ内に位置する場合には、障子１４を開くと開放角度が規制されるので、スライド部材２４が上に位置する状態が規制状態であり、スライド部材２４をスライドしてスライド部材２４が移動可能な範囲の下端に位置して、ピン部材３０がガイド溝５０ｅ外に位置する場合には、障子１４を開いても開放角度は規制されないので、スライド部材２４が下に位置する状態が規制解除状態である。すなわち、スライド部材２４を上下にスライドすることにより開放角度の規制状態と規制解除状態とを切り替えることが可能である。
【００３７】
ところで、スライド部材２４が下側に位置する規制解除状態にて障子１４が開放され、スライド部材２４がスライドされて規制状態にされた後、障子１４が閉められた場合には、右縦枠１２ｃにほぼ鉛直の姿勢にて配置されているアーム２６のピン部材３０にベース部材５０の屋内側の部位が衝突する。ところが、本実施形態のベース部材５０にはスライド部材２４がスライド可能な範囲の上端に配置された状態、すなわち、開放角度の規制状態にあるピン部材３０の高さには、ベース部材５０の屋内側に案内部５０ｆが設けられているので、ピン部材３０は案内部５０ｆの傾斜面５０ｇに沿って右縦枠１２ｃ側に滑るように移動され、大きな衝撃を伴う衝突が避けられる。このとき、図７に示すように、案内部５０ｆの傾斜面５０ｇに沿って右縦枠１２ｃ側に移動したピン部材３０は、ベース部材５０の右縦枠１２ｃ側であって、スライド部材２４の下方側に設けられた空隙１６に移動して収容されるので、アーム２６が他の部材と衝突して変形する畏れはない。このため、規制状態にて障子１４が閉められたとしても、規制機構２０を損傷することを防止することが可能である。また、規制解除状態では、ピン部材３０はベース部材５０とは干渉しない。このため、開かれた障子１４が開閉角度の規制状態又は規制解除状態のいずれの状態であっても、障子を１４を閉めた際に規制機構２０が損傷されない建具１０を提供することが可能である。
【００３８】
また、案内部５０ｆをベース部材５０の最も右縦枠１２ｃ側に位置する側板部５０ｂと繋がった傾斜面５０ｇを有する構成としたので、簡単な構造にて確実に規制機構２０の損傷を抑えることが可能である。
【００３９】
上記実施形態においては、スライド部材２４及びアーム２６を枠体１２側に、ベース部材５０を障子１４側に設けた例について説明したが、枠体側にベース部材を設け、障子側にスライド部材及びアームを設けた構成としても良い。
【００４０】
上記実施形態においては、建具を縦辷り出し窓としたが、これに限るものではなく、開き窓、横辷り出し窓、突き出し窓、外倒し窓など、回動することにより開放される窓を構成する建具であれば構わない。
【００４１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００４２】
【図１】本実施形態に係る建具を屋外側からみた外観図である。
【図２】規制機構を説明するための斜視図である。
【図３】アームの支持部を説明するための図である。
【図４】障子が閉止されたときの規制機構を屋内側から見た図である。
【図５】図４におけるＡ−Ａ矢視図である。
【図６】規制機構を示す平面図である。
【図７】開いた状態にて規制状態にされた障子を閉めたときの規制機構の状態を屋内側から見た図である。
【符号の説明】
【００４３】
１０  建具、１２  枠体、１２ｃ  右縦枠、
１４  障子、１４ｄ  戸先框、１６  空隙、
２０  規制機構、２４  スライド部材、
２６  アーム、２７  回動ピン、２８  アーム本体、
３０  ピン部材、３１  円錐ばね、５０  ベース部材、
５０ｅ  ガイド溝、５０ｆ  案内部、５０ｇ  傾斜面
【図１】
0004907508.tif 000002
【図２】
0004907508.tif 000003
【図３】
0004907508.tif 000004
【図４】
0004907508.tif 000005
【図５】
0004907508.tif 000006
【図６】
0004907508.tif 000007
【図７】
0004907508.tif 000008